【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
親フレームと１つ以上の子フレームとから構成されるウェブページを表示するウェブページの表示方法において、
判別手段が、ウェブサーバから前記子フレームの情報を受信した際に、前記親フレームの情報がウェブブラウザにロードされているか否かを判別する判別ステップと、
前記判別ステップで前記親フレームの情報がロードされていないと判別された場合に、ウェブページ表示禁止手段が、前記受信した子フレームの情報の表示を禁止するウェブページ表示禁止ステップとを備えることを特徴とするウェブページの表示方法。
【請求項２】
更に、第２判別手段が、前記ウェブページを構成する全ての子フレームの情報が前記ウェブブラウザにロードされているか否かを判別する第２判別ステップと、
前記第２判別ステップで全ての子フレームの情報がロードされていないと判別された場合、第２ウェブページ表示禁止手段が、前記受信した子フレームの情報の表示を禁止する第２ウェブページ表示禁止ステップと
を備えることを特徴とする請求項１記載のウェブページの表示方法。
【請求項３】
前記判別ステップでは、前記受信した子フレームの情報に含まれているジャバスクリプトに基づいて、前記親フレームの情報がウェブブラウザにロードされているか否かを判別することを特徴とする請求項１記載のウェブページの表示方法。
【請求項４】
親フレームと1つ以上の子フレームとから構成されるウェブページの表示をコンピュータに実行させるプログラムであって、
前記コンピュータを、
ウェブサーバから前記子フレームの情報を受信した際に、前記親フレームの情報がウェブブラウザにロードされているか否かを判別する判別手段、
前記判別手段で前記親フレームの情報がロードされていないと判別された場合に、前記受信した子フレームの情報の表示を禁止するウェブページ表示禁止手段、
として機能させることを特徴とするプログラム。
【請求項５】
更に、前記コンピュータを、
前記ウェブページを構成する全ての子フレームの情報が前記ウェブブラウザにロードされているか否かを判別する第２判別手段、
前記第２判別手段で全ての子フレームの情報がロードされていないと判別された場合、前記受信した子フレームの情報の表示を禁止する第２ウェブページ表示禁止手段、
として機能させるための請求項４記載のプログラム。
【請求項６】
請求項４または５に記載のプログラムを格納することを特徴とするコンピュータで読み取り可能な記憶媒体。
【請求項７】
親フレームと1つ以上の子フレームとから構成されるウェブページを表示するウェブページの表示装置であって、
ウェブサーバから前記子フレームの情報を受信した際に、前記親フレームの情報がウェブブラウザにロードされているか否かを判別する判別手段と、
前記判別手段で前記親フレームの情報がロードされていないと判別された場合に、前記受信した子フレームの情報の表示を禁止するウェブページ表示禁止手段と、
を備えることを特徴とするウェブページの表示装置。
【請求項８】
更に、前記ウェブページを構成する全ての子フレームの情報が前記ウェブブラウザにロードされているか否かを判別する第２判別手段と、
前記第２判別手段で全ての子フレームの情報がロードされていないと判別された場合、前記受信した子フレームの情報の表示を禁止する第２ウェブページ表示禁止手段と、
を備えることを特徴とする請求項７記載のウェブページの表示装置。
【手続補正２】
【補正対象書類名】明細書
【補正対象項目名】発明の名称
【補正方法】変更
【補正の内容】
【発明の名称】ウェブページの表示方法及び装置、並びにプログラム及び記憶媒体
【手続補正３】
【補正対象書類名】明細書
【補正対象項目名】０００１
【補正方法】変更
【補正の内容】
【０００１】
本発明は、ウェブページ(Web Page)の表示方法、プログラム及び記憶媒体に関し、特にウェブページをフレームを用いて、親フレームと1つ以上の子フレームとに分割して表示するウェブページの表示方法及び装置、並びにプログラム及び記憶媒体に関する。
【手続補正４】
【補正対象書類名】明細書
【補正対象項目名】０００４
【補正方法】変更
【補正の内容】
【０００４】
本発明の目的は、子フレームのウェブページ単体ではウェブページとして成り立たないような場合や、単純に子フレームのウェブページだけを単体で表示させたくない場合に、子フレームのウェブページだけの単体での表示を禁止することができるウェブページの表示方法及び装置、並びにプログラム及び記憶媒体を提供することにある。
【手続補正５】
【補正対象書類名】明細書
【補正対象項目名】０００５
【補正方法】変更
【補正の内容】
【０００５】
上記目的を達成するために、請求項１記載のウェブページの表示方法は、親フレームと１つ以上の子フレームとから構成されるウェブページを表示するウェブページの表示方法において、判別手段が、ウェブサーバから前記子フレームの情報を受信した際に、前記親フレームの情報がウェブブラウザにロードされているか否かを判別する判別ステップと、前記判別ステップで前記親フレームの情報がロードされていないと判別された場合に、ウェブページ表示禁止手段が、前記受信した子フレームの情報の表示を禁止するウェブページ表示禁止ステップとを備えることを特徴とする。
【手続補正６】
【補正対象書類名】明細書
【補正対象項目名】０００６
【補正方法】変更
【補正の内容】
【０００６】
請求項４記載のプログラムは、親フレームと1つ以上の子フレームとから構成されるウェブページの表示をコンピュータに実行させるプログラムであって、前記コンピュータを、ウェブサーバから前記子フレームの情報を受信した際に、前記親フレームの情報がウェブブラウザにロードされているか否かを判別する判別手段、前記判別手段で前記親フレームの情報がロードされていないと判別された場合に、前記受信した子フレームの情報の表示を禁止するウェブページ表示禁止手段、として機能させることを特徴とする。
【手続補正７】
【補正対象書類名】明細書
【補正対象項目名】０００７
【補正方法】変更
【補正の内容】
【０００７】
請求項６記載のコンピュータで読み取り可能な記憶媒体は、上記プログラムを格納することを特徴とする。
【手続補正８】
【補正対象書類名】明細書
【補正対象項目名】０００８
【補正方法】変更
【補正の内容】
【０００８】
請求項７記載のウェブページの表示装置は、親フレームと1つ以上の子フレームとから構成されるウェブページを表示するウェブページの表示装置であって、ウェブサーバから前記子フレームの情報を受信した際に、前記親フレームの情報がウェブブラウザにロードされているか否かを判別する判別手段と、前記判別手段で前記親フレームの情報がロードされていないと判別された場合に、前記受信した子フレームの情報の表示を禁止するウェブページ表示禁止手段と、を備えることを特徴とする。
【手続補正９】
【補正対象書類名】明細書
【補正対象項目名】０００９
【補正方法】変更
【補正の内容】
【０００９】
本発明によれば、親フレームと１つ以上の子フレームとから構成されるウェブページを表示し、ウェブサーバから子フレームの情報を受信した際に、親フレームの情報がウェブブラウザにロードされている場合に、受信した子フレームの情報の表示を禁止するので、子フレームのウェブページ単体ではウェブページとして成り立たないような場合や、単純に子フレームのウェブページだけを単体で表示させたくない場合に、子フレームのウェブページだけの単体での表示を禁止することができる。
【手続補正１０】
【補正対象書類名】明細書
【補正対象項目名】００１０
【補正方法】変更
【補正の内容】
【００１０】
本発明によれば、全ての子フレームの情報がロードされていない場合は、受信した子フレームの情報の表示を禁止するので、子フレームのウェブページだけの単体での表示を確実に禁止することができる。
【手続補正１１】
【補正対象書類名】明細書
【補正対象項目名】００４７
【補正方法】変更
【補正の内容】
【００４７】
ステップＳ８０２の判別の結果、親フレームのウェブページがウェブブラウザにロードされていたとき（ステップＳ８０２でＹＥＳ）、ウェブブラウザはウェブサーバ１０２から送られたＨＴＭＬ文書をそのまま表示し（ステップＳ８０３）、親フレーム５０のウェブページがウェブブラウザにロードされていないときは（ステップＳ８０２でＮＯ）、ウェブブラウザは後述する図８のエラー表示処理を実行してウェブフレーム表示禁止を行い（ステップＳ８０４）、本処理を終了する。